(57)【特許請求の範囲】
【請求項１】
積層された複数の鋼板によって構成されるとともに、円周方向に沿って形成された複数の磁石挿入孔を有するロータコアと、
記磁石挿入孔に配置される永久磁石と、
前記永久磁石と前記磁石挿入孔の内壁面との間に位置する樹脂部と、を備えた回転電機のロータの製造方法であって、
前記永久磁石の周囲を前記樹脂部が包むように前記永久磁石と前記樹脂部とを一体化し、前記磁石挿入孔と略同形状の樹脂付永久磁石体を形成する一体化工程と、
前記樹脂付永久磁石体を前記磁石挿入孔に配置する配置工程と、
前記配置工程の後に前記樹脂付永久磁石体と前記磁石挿入孔の内壁面とを密着させる密着工程と、を備え、
前記一体化工程では、前記永久磁石の少なくとも一方側の軸方向端面を覆う余肉部を有する前記樹脂付永久磁石体を形成し、
前記密着工程では、前記余肉部を軸方向に押圧することで前記樹脂付永久磁石体と前記磁石挿入孔の内壁面とを密着させる、回転電機のロータの製造方法。
【請求項２】
請求項１に記載の回転電機のロータの製造方法であって、
前記一体化工程は、インサート成形することで前記樹脂付永久磁石体を形成する、回転電機のロータの製造方法。
【請求項３】
請求項１または２に記載の回転電機のロータの製造方法であって、
前記密着工程では、前記余肉部が前記磁石挿入孔の外側に移動しないようにガイドプレートを用いて押圧する、回転電機のロータの製造方法。
【請求項４】
請求項１〜３のいずれか１項に記載の回転電機のロータの製造方法であって、
前記密着工程の前に、前記樹脂付永久磁石体を加熱する加熱工程をさらに備える、回転電機のロータの製造方法。
【請求項５】
請求項１〜４のいずれか１項に記載の回転電機のロータの製造方法であって、
前記略同形状は、前記磁石挿入孔よりも僅かに小さい形状である、回転電機のロータの製造方法。
【請求項６】
請求項１〜５のいずれか１項に記載の回転電機のロータの製造方法であって、
前記一体化工程では、前記永久磁石の周囲の一部に前記樹脂部から前記永久磁石が露出する磁石露出部を有する前記樹脂付永久磁石体を形成する、回転電機のロータの製造方法。
【請求項７】
請求項６に記載の回転電機のロータの製造方法であって、
前記配置工程では、前記磁石露出部をステータと対向する側を向くように配置する、回転電機のロータの製造方法。
【請求項８】
積層された複数の鋼板によって構成されるとともに、円周方向に沿って形成された複数の磁石挿入孔を有するロータコアと、
前記磁石挿入孔に配置された永久磁石と、
前記永久磁石と前記磁石挿入孔の内壁面との間に位置する樹脂部と、を備えた回転電機のロータであって、
前記永久磁石の周囲を前記樹脂部が包むように前記永久磁石と前記樹脂部とを一体化し、前記永久磁石の少なくとも一方側の軸方向端面を覆う余肉部を有する樹脂付永久磁石体の前記樹脂部が、前記余肉部が軸方向に押圧されることで前記磁石挿入孔の内壁面と密着した、回転電機のロータ。
【発明の詳細な説明】
【技術分野】
【０００１】
本発明は、積層された鋼板からなるロータコアに永久磁石を固定してロータを製造する回転電機のロータの製造方法及び回転電機のロータに関する。
【背景技術】
【０００２】
従来、ハイブリッド車両などに用いられる回転電機では、ケース内部にロータが回転自在に支持されている。ロータのロータコアは、積層された電磁鋼板からなり、ロータコアの円周方向に沿って形成された複数のスロット（磁石挿入孔）に永久磁石が固定される。
【０００３】
このような回転電機のロータの製造方法の一つとして、永久磁石をロータコアのスロットに挿入後、スロットに設けられた樹脂注入穴から樹脂を注入し、樹脂を固化させて永久磁石を固定するいわゆる樹脂注入法が知られている（例えば、特許文献１）。
【０００４】
また、他の回転電機のロータの製造方法としては、予め永久磁石を樹脂にてコーティングしてからロータのスロットへ圧入することで位置決め固定するいわゆる圧入法が知られている（例えば、特許文献２）。
【先行技術文献】
【特許文献】
【０００５】
【特許文献１】特開２００８−２１９９９２号公報
【特許文献２】特開２００５−９４８４５号公報
【発明の概要】
【発明が解決しようとする課題】
【０００６】
しかしながら、上述した特許文献１の樹脂注入法においては、ロータの永久磁石を固定する樹脂を注入するために、スロットに連通する樹脂注入穴をロータコアに設けているが、その樹脂注入穴は非磁性部であるため磁束の流れを阻害する要因となる。その結果、磁気抵抗悪化によるトルクの低下や永久磁石のパーミアンスの低下による磁石磁性体力の低下等、回転電機の性能劣化の虞があった。
【０００７】
また、上述した特許文献２の圧入法においては、図１０（ａ）に示すように、予め永久磁石１を樹脂２にてコーティングしたものをロータ３のスロット４へ圧入するため、樹脂２のコーティングが電磁鋼板５ａに削られて異物となってしまう虞があった。
【０００８】
また、ロータ３は積層された電磁鋼板５からなっているため、電磁鋼板５を積み重ねる際に各電磁鋼板５間に必ず段差が発生し得る。そのため、図１０（ｂ）に示すように、ロータの回転時には遠心力が発生するが、その遠心力は積層段差の高い電磁鋼板５ａのみに集中的に掛かり、その電磁鋼板５ａが破損し異物となる虞があった。また、積層段差の低い部分には永久磁石との間に空気層６ができるために、永久磁石１に対する冷却性能が悪化する虞があった。
【０００９】
さらに、遠心力がある部分に集中的に掛かるため、樹脂や電磁鋼板５が変形して、図１０（ｃ）に示すように、永久磁石１の固定力が不十分となって永久磁石１がスロット内で動いてしまい、ノイズ性能が悪化する虞があった。
【００１０】
本発明は、前述した課題に鑑みてなされたものであり、その目的は、樹脂が鋼板に削られて異物となることを抑制できるとともに、ノイズ性能の悪化や冷却性能の悪化を抑制でき、ロータの性能の向上を図ることができる回転電機のロータの製造方法及び回転電機のロータを提供することにある。
【課題を解決するための手段】
【００１１】
上記目的を達成するために、請求項１に係る発明は、
積層された複数の鋼板（例えば、後述の実施形態における電磁鋼板１１）によって構成されるとともに、円周方向に沿って形成された複数の磁石挿入孔（例えば、後述の実施形態における磁石挿入孔１４）を有するロータコア（例えば、後述の実施形態におけるロータコア２０）と、
前記磁石挿入孔に配置される永久磁石（例えば、後述の実施形態における永久磁石４０）と、
前記永久磁石と前記磁石挿入孔の内壁面との間に位置する樹脂部（例えば、後述の実施形態における樹脂部４３）と、を備えた回転電機のロータの製造方法であって、
前記永久磁石の周囲を前記樹脂部が包むように前記永久磁石と前記樹脂部とを一体化し、前記磁石挿入孔と略同形状の樹脂付永久磁石体（例えば、後述の実施形態における樹脂付永久磁石体４２）を形成する一体化工程（例えば、後述の実施形態における一体化工程Ｓ１００）と、
前記樹脂付永久磁石体を前記磁石挿入孔に配置する配置工程（例えば、後述の実施形態における配置工程Ｓ１３０）と、
前記配置工程の後に前記樹脂付永久磁石体と前記磁石挿入孔の内壁面とを密着させる密着工程（例えば、後述の実施形態における密着工程Ｓ１５０）と、を備え、
前記一体化工程では、前記永久磁石の少なくとも一方側の軸方向端面を覆う余肉部（例えば、後述の実施形態における余肉部４２ａ）を有する前記樹脂付永久磁石体を形成し、
前記密着工程では、前記余肉部を軸方向に押圧することで前記樹脂付永久磁石体と前記磁石挿入孔の内壁面とを密着させる、回転電機のロータの製造方法 
【００１２】
請求項２に記載の発明は、請求項１に記載の回転電機のロータの製造方法であって、
前記一体化工程は、インサート成形することで前記樹脂付永久磁石体を形成する、回転電機のロータの製造方法。
【００１４】
請求項３に係る発明は、請求項１または２に記載の回転電機のロータの製造方法であって、
前記密着工程では、前記余肉部が前記磁石挿入孔の外側に移動しないようにガイドプレート（例えば、後述の実施形態におけるガイドプレート５０）を用いて押圧する、回転電機のロータの製造方法。 
【００１５】
請求項４に係る発明は、請求項１〜３のいずれか１項に記載の回転電機のロータの製造方法であって、
前記密着工程の前に、前記樹脂付永久磁石体を加熱する加熱工程（例えば、後述の実施形態における加熱工程Ｓ１４０）をさらに備える、回転電機のロータの製造方法。 
【００１６】
請求項５に係る発明は、請求項１〜４のいずれか１項に記載の回転電機のロータの製造方法であって、
前記略同形状は、前記磁石挿入孔よりも僅かに小さい形状である、回転電機のロータの製造方法。 
【００１７】
請求項６に係る発明は、請求項１〜５のいずれか１項に記載の回転電機のロータの製造方法であって、
前記一体化工程では、前記永久磁石の周囲の一部に前記樹脂部から前記永久磁石が露出する磁石露出部（例えば、後述の実施形態における磁石露出部４０ａ）を有する前記樹脂付永久磁石体を形成する、回転電機のロータの製造方法。 
【００１８】
請求項７に係る発明は、請求項６に記載の回転電機のロータの製造方法であって、
前記配置工程では、前記磁石露出部をステータと対向する側を向くように配置する。 
【００１９】
請求項８に係る発明は、
積層された複数の鋼板（例えば、後述の実施形態における電磁鋼板１１）によって構成されるとともに、円周方向に沿って形成された複数の磁石挿入孔（例えば、後述の実施形態における磁石挿入孔１４）を有するロータコア（例えば、後述の実施形態におけるロータコア２０）と、
前記磁石挿入孔に配置された永久磁石（例えば、後述の実施形態における永久磁石４０）と、
前記永久磁石と前記磁石挿入孔の内壁面との間に位置する樹脂部（例えば、後述の実施形態における樹脂部４３）と、を備えた回転電機のロータであって、
前記永久磁石の周囲を前記樹脂部が包むように前記永久磁石と前記樹脂部とを一体化し、前記永久磁石の少なくとも一方側の軸方向端面を覆う余肉部（例えば、後述の実施形態における余肉部４２ａ）を有する樹脂付永久磁石体（例えば、後述の実施形態における樹脂付永久磁石体４２）の前記樹脂部が、前記余肉部が軸方向に押圧されることで前記磁石挿入孔の内壁面と密着した、回転電機のロータ。 
【発明の効果】
【００２０】
請求項１の発明によれば、予め永久磁石の周囲を樹脂部が包むように永久磁石と樹脂部とを一体化して樹脂付永久磁石体を形成し、樹脂付永久磁石体を磁石挿入孔に挿入した後、樹脂付永久磁石体と磁石挿入孔の内壁面とを密着させることにより、永久磁石と磁石挿入孔の内壁面との間に樹脂を注入する場合に比べて、樹脂注入穴を不要とすることができる。これにより、樹脂注入穴による磁束の阻害を回避でき、回転電機の性能劣化を防止できる。また、樹脂付永久磁石体を圧入する場合に比べて、樹脂が鋼板に削られて異物となることを抑制できるとともに、ノイズ性能の悪化、冷却性能の悪化を抑制できる。  さらに、請求項１の発明によれば、余肉部を軸方向に押圧することにより余肉部及び樹脂部が磁石挿入孔の内壁面側に移動し、余肉部及び樹脂部の樹脂部材が磁石挿入孔の内壁面に食い込むことで、樹脂付永久磁石体と磁石挿入孔の内壁面とを密着させることができる。
【００２１】
請求項２の発明によれば、インサート成形することで樹脂付永久磁石体を形成するため、容易に樹脂付永久磁石体を形成できる。
【００２３】
請求項３の発明によれば、密着工程ではガイドプレートを用いて押圧するため、余肉部が磁石挿入孔の外側に移動するのを抑制し、余肉部及び樹脂部が磁石挿入孔の内壁面側に移動するのを促進できる。
【００２４】
請求項４の発明によれば、密着工程前に樹脂付永久磁石体を加熱する加熱工程を備えるため、余肉部及び樹脂部が磁石挿入孔の内壁面側に移動するのを促進できる。 
【００２５】
請求項５の発明によれば、樹脂付永久磁石体は磁石挿入孔よりも僅かに小さい形状であるため、配置工程において、磁石挿入孔への樹脂付永久磁石の挿入を容易にできる。また、圧入する場合に比べて、鋼板が折れて異物となることを抑制できる。 
【００２６】
請求項６の発明によれば、一体化工程では、永久磁石の周囲の一部に樹脂部から永久磁石が露出する磁石露出部を有する樹脂付永久磁石体を形成するため、磁石露出部を磁石挿入孔の内壁面に当接させることで樹脂付永久磁石体を位置決めすることができる。 
【００２７】
請求項７の発明によれば、磁石露出部がステータと対向する側を向くように配置することで、磁石露出部が磁石挿入孔の内壁面と当接するので、ステータと対向する側に非磁性部である樹脂が介在するのを防止できる。
【００２８】
請求項８の発明によれば、永久磁石の周囲を樹脂部が包むように永久磁石と樹脂部とを一体化した樹脂付永久磁石体の樹脂部が、磁石挿入孔の内壁面と密着することにより、永久磁石と磁石挿入孔の内壁面との間に樹脂を注入することで永久磁石と磁石挿入孔の内壁面とを密着させた場合に比べて、樹脂注入穴を不要とできる。これにより、樹脂注入穴による磁束の阻害を回避でき、回転電機の性能劣化を防止できる。また、樹脂付永久磁石体を圧入する場合に比べて、樹脂が電磁鋼板に削られて異物となることを抑制できるとともに、ノイズ性能の悪化、冷却性能の悪化を抑制できる。
【図面の簡単な説明】
【００２９】
【図１】本発明の回転電機のロータの製造方法により製造された一実施形態のロータコアを示す斜視図である。
【図２】（ａ）は樹脂付永久磁石体を磁石露出部側から見た斜視図であり、（ｂ）は樹脂付永久磁石体を磁石露出部とは反対側から見た斜視図である。
【図３】樹脂付永久磁石体と磁石挿入孔との関係を示す平面図である。
【図４】３つの樹脂付永久磁石体の真ん中にのみ樹脂付永久磁石体を配置した斜視図である。
【図５】ロータの製造方法のフロー図である。
【図６】（ａ）は樹脂付永久磁石体を磁石挿入孔に配置した状態を説明する模式図であり、（ｂ）は（ａ）の部分拡大図である。
【図７】樹脂付永久磁石体を磁石挿入孔に配置したロータコア上に、ガイドプレートとプレス金型を配置した状態を示す部分斜視図である。
【図８】密着工程を示す部分斜視図である。
【図９】（ａ）は樹脂付永久磁石体を押圧した状態を説明する模式図であり、（ｂ）は（ａ）の部分拡大図である。
【図１０】特許文献２に記載の圧入法による回転電機のロータの製造方法を示す説明図である。
【発明を実施するための形態】
【００３０】
以下、本発明の回転電機のロータの製造方法の一実施形態を、添付図面に基づいて説明する。なお、図面は符号の向きに見るものとする。
【００３１】
本実施形態の回転電機のロータ１０は、ロータコア２０と、複数の永久磁石４０と、永久磁石４０をロータコア２０に固定する樹脂部４３と、を備える、いわゆる永久磁石埋め込み型ロータである。
【００３２】
図１は、本発明の回転電機のロータの製造方法により製造された一実施形態のロータコアを示す斜視図である。
図１に示すように、本実施形態のロータ１０のロータコア２０は、複数枚の電磁鋼板１１が積層された鋼板積層体１２から構成される。電磁鋼板１１は、その中央部に軸挿通孔１１ａを有するとともに、その外周部に複数の磁石挿入孔１４が、円周方向に複数形成された略円環形状を有する。磁石挿入孔１４は、３つの磁石挿入孔１４が組となって１つの磁極部４１を構成する。
【００３３】
ロータコア２０の各磁石挿入孔１４には、永久磁石４０が樹脂に埋め込まれた樹脂付永久磁石体４２樹脂付永久磁石体が配設される。
【００３４】
１つの磁極部４１を構成する３つの磁石挿入孔１４は、中央部に位置する磁石挿入孔１４に対し、両側に位置する２つの磁石挿入孔１４がＶ字形状に外径側に開くように配置される。磁石挿入孔１４は、軸方向に開口し、それぞれ独立したものとなっている。
【００３５】
１つの磁極部４１を構成する３つ磁石挿入孔１４には、磁化方向が同じ永久磁石４０が配置される。周方向で隣り合う磁極部４１には、この永久磁石４０と磁化方向が異なる永久磁石４０が配置されることで、周方向で交互に磁極が反転するようになっている。
【００３６】
樹脂付永久磁石体４２は、ロータコア２０とは別に予め熱可塑性樹脂によってインサート成形により棒状に形成され、永久磁石４０の周囲を樹脂部４３が包むように永久磁石４０と樹脂部４３とが一体化されている。
【００３７】
樹脂付永久磁石体４２は、直方体形状の永久磁石４０に磁石挿入孔１４と略同形状となるように、樹脂部４３が形成される。より詳しくは、樹脂付永久磁石体４２が磁石挿入孔１４よりも一回り小さく成形される。そのため、図３に示すように、樹脂付永久磁石体４２を磁石挿入孔１４に挿入すると僅かなクリアランスｃを有することとなる。
【００３８】
また、樹脂付永久磁石体４２を磁石挿入孔１４より小さくしたクリアランスｃの体積分に相当する樹脂部材は、樹脂付永久磁石体４２の長手方向を長く成形して余肉部４２ａを形成することで賄われる。そのため、図４に示すように、磁石挿入孔１４に樹脂付永久磁石体４２を挿入すると、磁石挿入孔１４の上部に余肉部４２ａが突出することになる。余肉部４２ａは樹脂付永久磁石体４２の軸方向一方側の軸方向端面にのみ設けられてもよく、軸方向両端面に設けられてもよい。
【００３９】
樹脂付永久磁石体４２は、永久磁石４０の周囲を樹脂部４３が包むようにして、永久磁石４０と樹脂部４３とを一体化する一体化工程Ｓ１００で形成される。さらに、この一体化工程Ｓ１００では、図２（ａ）に示すように、永久磁石４０の周囲の一部に、樹脂部４３から永久磁石４０が露出する磁石露出部４０ａを有するように、樹脂付永久磁石体４２が形成される。
【００４０】
次に、本実施形態のロータ１０の製造工程例について、図５のフロー図に基づいて説明する。
一体化工程Ｓ１００は、上述したように、インサート成形により永久磁石４０と樹脂部４３とを一体化して棒状の樹脂付永久磁石体４２を形成する工程である。
【００４１】
続いて、余熱工程Ｓ１１０では、ロータコア２０と樹脂付永久磁石体４２を余熱する。
【００４２】
次に、ガイドプレート設置工程Ｓ１２０では、ロータコア２０の上面にガイドプレート５０を設置する。ここで、ガイドプレート５０とは、図７に示すように、磁石挿入孔１４と同形状の抜き穴５１が形成された円環状のプレートである。このガイドプレート５０をロータコア２０の上面に配置することによって、後述する密着工程Ｓ１５０時において、上述した樹脂付永久磁石体４２の余肉部４２ａの樹脂部材が、磁石挿入孔１４の外側にはみ出て移動してしまわないように、隙間なく確実に磁石挿入孔１４内に入るよう余肉部４２ａの周囲を覆う。
【００４３】
続いて、配置工程Ｓ１３０では、ロータコア２０の各磁石挿入孔１４へ、それぞれ樹脂付永久磁石体４２を挿入する。なお、ガイドプレート設置工程Ｓ１２０と配置工程Ｓ１３０は順番を入れ変えてもよい。
【００４４】
続いて、加熱工程Ｓ１４０で、密着工程Ｓ１５０の前段階として、電磁誘導加熱等によって、ロータコア２０と樹脂付永久磁石体４２を加熱し、樹脂部４３を軟化させる。この密着工程前に、樹脂付永久磁石体４２を加熱する加熱工程Ｓ１４０は、上述した余熱工程Ｓ１１０が十分であれば、省略することができる。
【００４５】
続いて、密着工程Ｓ１５０では、図８及び図９（ａ）に示すように、プレス金型６０で上方からガイドプレート５０に形成された抜き穴５１を介して樹脂付永久磁石体４２をプレスする。これにより、加熱工程Ｓ１４０で軟化した余肉部４２ａの樹脂部材がガイドプレート５０に誘導されて下方へ押圧されるとともに、樹脂部４３の樹脂部材が樹脂付永久磁石体４２と磁石挿入孔１４とのクリアランスｃを埋めるように磁石挿入孔１４内に移動する。
【００４６】
このとき、樹脂部４３から永久磁石４０が露出する磁石露出部４０ａが磁石挿入孔１４の内壁面に当接して位置決めされるとともに、余肉部４２ａ及び樹脂部４３の樹脂部材が電磁鋼板１１を積み重ねる際に各電磁鋼板１１間に生じた段差による空間にも、樹脂部材が隙間なく充填される。
【００４７】
最後に、冷却工程Ｓ１６０で、樹脂部４３の樹脂部材が固化されて、永久磁石４０がロータコア２０に固定される。なお、冷却工程Ｓ１６０は、自然放熱による冷却であってもよい。
【００４８】
以上説明したように、本実施形態によれば、予め永久磁石４０の周囲を樹脂部４３が包むように永久磁石４０と樹脂部４３とを一体化して樹脂付永久磁石体４２を形成し、樹脂付永久磁石体４２を磁石挿入孔１４に挿入した後、樹脂付永久磁石体４２と磁石挿入孔１４の内壁面とを密着させることにより、永久磁石４０と磁石挿入孔１４の内壁面との間に樹脂を注入する場合に比べて、樹脂注入穴を不要とすることができる。これにより、樹脂注入穴による磁束の阻害を回避でき、回転電機の性能劣化を防止できる。また、樹脂付永久磁石体４２を圧入する場合に比べて、樹脂が鋼板に削られて異物となることを抑制できるとともに、ノイズ性能の悪化、冷却性能の悪化を抑制できる。
【００４９】
また、インサート成形することで樹脂付永久磁石体４２を形成するため、容易に樹脂付永久磁石体４２を形成できる。
【００５０】
また、余肉部４２ａを軸方向に押圧することにより余肉部４２ａ及び樹脂部４３が磁石挿入孔１４の内壁面側に移動し、余肉部４２ａ及び樹脂部４３の樹脂部材が磁石挿入孔１４の内壁面に食い込むことで、樹脂付永久磁石体４２と磁石挿入孔１４の内壁面とを密着させることができる。
【００５１】
余肉部４２ａ及び樹脂部４３の樹脂部材が磁石挿入孔１４の内壁面に食い込むことで、電磁鋼板１１を積み重ねる際に各電磁鋼板１１間に生じた段差による空間にも、樹脂部材が隙間なく充填されため、遠心力を分散することが可能になるとともに、電磁鋼板１１の破損や樹脂部４３の変形を防止できる。また、空気層が無くなるために、冷却性能を向上させることができる。なお、この場合に、熱伝導率の高い樹脂を使用することで、より冷却性能が向上する。
【００５２】
また、密着工程Ｓ１５０ではガイドプレート５０を用いて押圧するため、余肉部４２ａが磁石挿入孔１４の外側に移動するのを抑制し、余肉部４２ａ及び樹脂部４３が磁石挿入孔１４の内壁面側に移動するのを促進できる。
【００５３】
また、密着工程Ｓ１５０の前に樹脂付永久磁石体４２を加熱する加熱工程Ｓ１４０を実施するため、余肉部４２ａ及び樹脂部４３が磁石挿入孔１４の内壁面側に移動するのを促進できる。
【００５４】
また、樹脂付永久磁石体４２は磁石挿入孔１４よりも僅かに小さい形状であるため、配置工程Ｓ１３０において、磁石挿入孔１４への樹脂付永久磁石体４２の挿入を容易にできる。また、圧入する場合に比べて、電磁鋼板１１が折れて異物となることを抑制できる。
【００５５】
また、一体化工程Ｓ１００では、永久磁石４０の周囲の一部に樹脂部４３から永久磁石４０が露出する磁石露出部４０ａを有する樹脂付永久磁石体４２を形成するため、磁石露出部４０ａを磁石挿入孔１４の内壁面に当接させることで樹脂付永久磁石体４２を位置決めすることができる。
【００５６】
尚、本発明は、前述した実施形態に限定されるものではなく、適宜、変形、改良、等が可能である。
例えば、一体化工程Ｓ１００では、永久磁石４０に予め成型された樹脂部４３を接着等により一体化してもよく、密着工程Ｓ１５０では、樹脂の種類によってはプレスによらず、誘導加熱等により樹脂を流動化させて密着するようにしてもよい。
【００５７】
また、配置工程Ｓ１３０では、磁石露出部４０ａをステータと対向する側を向くように配置することが好ましい。すなわち、インナーロータであれば、磁石露出部４０ａが径方向外側を向くように配置し、アウターロータであれば、磁石露出部４０ａが径方向内側を向くように配置する。これにより、永久磁石４０とステータ側のロータコア２０の内壁面との間に非磁性部である樹脂部４３が介在するのが防止される。
【符号の説明】
【００５８】
１０    回転電機のロータ
１１    電磁鋼板（鋼板）
１４    磁石挿入孔
２０    ロータコア
４０    永久磁石
４０ａ        磁石露出部
４２    樹脂付永久磁石体
４２ａ        余肉部
４３    樹脂部
５０    ガイドプレートガイドプレート
Ｓ１００      一体化工程
Ｓ１３０      配置工程
Ｓ１４０      加熱工程
Ｓ１５０      密着工程
【図１】
0006383745.tif 000002
【図２】
0006383745.tif 000003
【図３】
0006383745.tif 000004
【図４】
0006383745.tif 000005
【図５】
0006383745.tif 000006
【図６】
0006383745.tif 000007
【図７】
0006383745.tif 000008
【図８】
0006383745.tif 000009
【図９】
0006383745.tif 000010
【図１０】
0006383745.tif 000011